(57)【特許請求の範囲】
【請求項１】
第１状態と、該第１状態よりも煙を遮る第２状態と、に変化可能な分煙体と、
所定信号が入力される入力手段と、
携帯端末から出力された特定信号を受信する受信手段と、
前記分煙体が前記第１状態であり、かつ前記入力手段に前記所定信号が入力されたときまたは前記受信手段が前記特定信号を受信したときに、前記分煙体を前記第１状態から前記第２状態に変化させ、前記分煙体が前記第２状態であり、かつ前記入力手段に前記所定信号が入力されたときまたは前記受信手段が前記特定信号を受信したときに、前記分煙体を前記第２状態から前記第１状態に変化させる変化手段と、
障害物を検知する検知手段と、を備え、
前記変化手段は、前記分煙体が前記第１状態から前記第２状態に変化する際、または前記分煙体が前記第２状態から前記第１状態に変化する際に、前記検知手段により前記障害物が検知されたときには、前記分煙体の変化を停止させる、分煙装置。
【発明の詳細な説明】
【技術分野】
【０００１】
本発明は、分煙装置に関する。
【背景技術】
【０００２】
従来より、たとえば遊技場などにおいて、喫煙者が吸った煙草の煙が、隣に居合わせた人にまで流動し難くなるように、その間に設置される分煙ボードがあった（たとえば、特許文献１参照）。
【先行技術文献】
【特許文献】
【０００３】
【特許文献１】特開２０１２−２４９６５０号公報
【発明の概要】
【発明が解決しようとする課題】
【０００４】
ところが、特許文献１の分煙ボードでは、たとえば、遊技場の開店時または閉店時などに、複数の分煙ボードを管理する管理者が手動で分煙ボードを収納させたり、突出させたりする必要があり、管理者の負担が増大するという問題があった。
【０００５】
この発明はかかる事情に鑑み考え出されたものであり、その目的は、管理者の負担を軽減する分煙装置を提供することである。
【課題を解決するための手段】
【０００６】
第１状態と、該第１状態よりも煙を遮る第２状態と、に変化可能な分煙体と、
所定信号が入力される入力手段と、
携帯端末から出力された特定信号を受信する受信手段と、
前記分煙体が前記第１状態であり、かつ前記入力手段に前記所定信号が入力されたときまたは前記受信手段が前記特定信号を受信したときに、前記分煙体を前記第１状態から前記第２状態に変化させ、前記分煙体が前記第２状態であり、かつ前記入力手段に前記所定信号が入力されたときまたは前記受信手段が前記特定信号を受信したときに、前記分煙体を前記第２状態から前記第１状態に変化させる変化手段とを備える。
また、障害物を検知する検知手段をさらに備え、
前記変化手段は、前記分煙体が前記第１状態から前記第２状態に変化する際、または前記分煙体が前記第２状態から前記第１状態に変化する際に、前記検知手段により前記障害物が検知されたときには、前記分煙体の変化を停止させるようにしてもよい。
分煙装置は、以下のような構成であってもよい。
（１）  第１状態（たとえば、収納状態）と、該第１状態よりも煙を遮る第２状態（たとえば、突出状態）と、に変化可能な分煙体（たとえば、分煙ボード６４０）と、
所定信号（たとえば、突出信号）が入力される入力手段（たとえば、制御部６０９）と、
前記分煙体が前記第１状態（たとえば、収納状態）であり、かつ前記入力手段に前記所定信号が入力されたときに、前記分煙体を前記第１状態から前記第２状態に変化させる（たとえば、図８のＳ１４、Ｓ２０、Ｓ２２に示すように、分煙ボード６４０が収納状態に制御されているときにおいて、突出信号を受信したときに、突出状態に制御する）変化手段とを備える。
【０００７】
このような構成によれば、所定信号が入力されたときに、分煙体を第１状態から第２状態に変化させることから、店員の負担を軽減できる。
【０００８】
（２）  第１状態（たとえば、収納状態）と、該第１状態よりも煙を遮る第２状態（たとえば、突出状態）と、に変化可能な分煙体（たとえば、分煙ボード６４０）と、
所定信号（たとえば、収納信号）が入力される入力手段（たとえば、制御部６０９）と、
前記分煙体が前記第２状態（たとえば、突出状態）であり、かつ前記入力手段に前記所定信号が入力されたときに、前記分煙体を前記第２状態から前記第１状態に変化させる（図８のＳ１４、Ｓ１６、Ｓ１８に示すように、分煙ボード６４０が突出状態に制御されているときにおいて、収納信号を受信したときに、収納状態に制御する）変化手段とを備える。
【０００９】
このような構成によれば、所定信号が入力されたときに、分煙体を第２状態から第１状態に変化させることから、店員の負担を軽減できる。
【００１０】
また、（１）や（２）において、変化手段は、たとえば、分煙体を駆動する駆動手段により該分煙体を変化させるようにしてもよい。
【００１１】
（３）  上記（１）または（２）の分煙装置において、
前記分煙体が前記第１状態であるとき、または前記分煙体が前記第２状態であるときに、障害物（たとえば、人物や物など）が存在するか否かを検知する（通過空間に障害物が存在するか否かを検知する）第１検知手段（センサ６０６）をさらに備え、
前記変化手段は、前記第１検知手段により前記障害物が検知されたときには、前記分煙体を変化させない（図８のＳ１２でＹｅｓと判断された場合には、分煙ボード６４０を制御しない）。
【００１２】
このような構成によれば、分煙体が障害物と接触することを防止できる。
（４）  上記（１）〜（３）いずれかの分煙装置において、
前記分煙体が前記第１状態から前記第２状態に変化しているとき、または前記分煙体が前記第２状態から前記第１状態に変化しているときに、障害物（たとえば、人物や物など）が存在するか否かを検知する（通過空間に障害物が存在するか否かを検知する）第２検知手段をさらに備え、
前記変化手段は、前記第２検知手段により前記障害物が検知されたときには、前記分煙体の変化を終了させる（［障害物の検知について］の（２）で説明したように、分煙ボード６４０の制御途中に、通過空間に障害物が存在すると判断された場合には、分煙ボード６４０の制御を終了させる）。
【００１３】
このような構成によれば、分煙体が障害物と接触することを防止できる。
（５）  上記（１）〜（４）いずれかの分煙装置において、
分煙装置は、複数の分煙装置と通信可能な制御装置（制御装置１３０）と通信可能に接続されており、
前記所定信号は、前記制御装置から出力される信号（制御信号）である。
【００１４】
このような構成によれば、制御装置から、複数の分煙装置それぞれの分煙体をまとめて変化させることができる。
【００１５】
（６）  上記（５）の分煙装置において、
前記制御装置は、いずれかの前記分煙体を変化させる分煙装置の指定を受付可能であり、
前記分煙装置は、前記指定が受付けられた場合に、前記所定信号が入力される（図９に示すように、「収納入力領域１３０２Ａまたは突出入力領域１３０２Ｃに入力された遊技機ＩＤから特定される遊技機の分煙ユニット６００の分煙ボード６４０」、および「該遊技機の右隣の遊技機の分煙ユニット６００の分煙ボード６４０」を制御する）。
【００１６】
このような構成によれば、制御装置を操作する操作者の所望の分煙装置の分煙体を変化させることができる。
【００１７】
（７）  上記（１）〜（６）いずれかの分煙装置において、
前記所定信号は、携帯可能な携帯端末（リモコン７００）から出力される信号である。
【００１８】
このような構成によれば、所定信号が出力される携帯端末は携帯可能であることから、該携帯端末の操作者の利便性を向上できる。
【００１９】
（８）  上記（７）の分煙装置において、
前記分煙装置は、他の分煙装置と通信可能に接続されており、
前記分煙装置は、前記携帯端末から出力された前記所定信号が入力された場合に、該分煙装置の分煙体を変化させるための処理と、前記他の分煙装置の分煙体を変化させるための処理とを行うことが可能である（複数の分煙ユニットそれぞれの分煙ボードを制御する）。
【００２０】
このような構成によれば、所定信号が出力される携帯端末は携帯可能であることから、該携帯端末の操作者の利便性を向上できるとともに、該携帯端末から、分煙装置とともに、他の分煙装置の分煙体を変化させることができる。
【００２１】
（９）  上記（７）の分煙装置において、
前記分煙装置は、他の分煙装置と通信可能な制御装置と通信可能に接続されており、
前記分煙装置は、前記携帯端末から出力された前記所定信号が入力されたときに、該分煙装置の分煙体を変化させるとともに、前記制御装置により前記他の分煙装置の分煙体を変化させるための処理を行うことが可能である（複数の分煙ユニットそれぞれの分煙ボードを制御する）。
【００２２】
このような構成によれば、所定信号が出力される携帯端末は携帯可能であることから、該携帯端末の操作者の利便性を向上できるとともに、該携帯端末から、分煙装置とともに、他の分煙装置の分煙体を変化させることができる。
【００２３】
（１０）  上記（１）〜（９）いずれかの分煙装置において、
前記携帯端末は、前記分煙体を変化させる分煙装置の指定を受付可能であり、
前記分煙装置は、前記携帯端末により該分煙装置の指定が受付けられたときに、前記所定信号が入力される（図１０に示すように、突出入力領域７０６Ａまたは収納入力領域に入力された遊技機ＩＤから特定される遊技機の分煙ユニット６００の分煙ボード６４０」、および「該遊技機の右隣の遊技機の分煙ユニット６００の分煙ボード６４０」の双方を制御する）。
【００２４】
このような構成によれば、携帯端末を操作する操作者の所望の分煙装置の分煙体を変化させることができる。
【００２５】
（１１）  上記（１）〜（１０）いずれかの分煙装置において、
前記分煙装置は、所定条件（変形例の「清掃手段について」で説明したように、リモコンや制御装置などから清掃信号を受信することにより成立する条件）が成立したときに、前記分煙体を清掃する清掃手段（ワイパー）をさらに備える。
【００２６】
このような構成によれば、分煙体を清掃可能であることから、分煙体に付着した付着物や汚れを除去できる。
【００２７】
（１２）  上記（１）〜（１１）いずれかの分煙装置において、
前記分煙体が収納される収納手段（収納部６０２）をさらに備え、
前記第１状態は、前記分煙体が前記収納手段に収納されている状態（図４に示す収納状態）であり、
前記第２状態は、前記第１状態よりも前記分煙体が前記収納手段から突出された状態（図５に示す突出状態）であり、
前記収納手段は、前記分煙体が変化するときに該分煙体を清掃する清掃手段（たとえば、シート４０４）をさらに備える。
【００２８】
このような構成によれば、分煙体が変化するときに、該分煙体を清掃可能であることから、分煙体に付着した付着物や汚れを除去できる。
【図面の簡単な説明】
【００２９】
【図１】本実施形態における遊技用システムの全体像を示すシステム構成図である。
【図２】本実施形態の遊技用システムに用いたパチンコ機、カードユニットを示す正面図である。
【図３】複数の分煙ボードが突出状態に制御されたときの斜視図である。
【図４】分煙ボードの収納状態を示す斜視図である。
【図５】分煙ボードの突出状態を示す斜視図である。
【図６】分煙ユニットの機能構成例を示す図である。
【図７】収納部の内部を示す図である。
【図８】分煙関連処理のフローチャート図を示す図である。
【図９】制御装置の表示部に表示される画面の一例を示した図である。
【図１０】リモコンの一例を示した図である。
【発明を実施するための形態】
【００３０】
以下、図面を参照して本発明に係る遊技用装置および遊技用システムを実施するための形態を説明する。
【００３１】
［遊技用システム］
図１は、本発明の実施の形態の遊技用システムの全体像を示すシステム構成図である。遊技用システムは、遊技場内に複数配置される各遊技島（図示略）に並設される遊技機であるカードリーダ式パチンコ機（以下パチンコ機と略称する）２と、パチンコ遊技機２の所定側の側方位置に該パチンコ遊技機２に対して１対１に対応設置され、会員登録をしていない一般の遊技者に対して発行される遊技用記録媒体であるプリペイド機能を備えるビジターカードや、該遊技機に会員登録した会員遊技者に対して発行される遊技用記録媒体である会員カードを受付けて、遊技機における遊技に使用される遊技媒体であるパチンコ玉を貸し出すための処理や、対応するパチンコ遊技機２における遊技にて獲得されたパチンコ玉を計数するとともに、該計数済みのパチンコ玉数の範囲内のパチンコ玉の払出し（返却）を行うカードユニット３と、遊技者が吸った煙草の煙が隣の遊技者にまで流動し難くなるように分煙ボード６４０を制御する分煙ユニット６００と、カードユニット３にて使用されるビジターカードや会員カード並びにカードユニット３の管理等を行うシステムコントローラ１００と、各カードユニット３において計数された計数済玉数（「自台計数玉数」ともいう）を持球数として管理する持球数管理や、会員カードを所持する会員遊技者が再度の遊技に使用可能に所有する合計持球玉数（持球数と貯玉数）やビジターカードに記録された持球数の管理を行う管理装置１５０と、遊技場内に設置された各パチンコ遊技機２の台データ等の遊技情報を管理する遊技情報管理装置となるホールコンピュータ１４０と、遊技場内の景品カウンタに設けられて景品交換を行うための景品交換用ＰＯＳ端末１７０と、分煙装置を一括制御できる制御装置１３０とから主に構成されている。
【００３２】
なお、本実施形態では、分煙ユニット６００は、カードユニット３およびパチンコ遊技機２のいずれとも別体である例について説明するが、分煙ユニット６００は、カードユニット３と一体であってもよく、パチンコ遊技機２と一体であってもよい。また、分煙ユニット６００、カードユニット３、パチンコ遊技機２が全て一体であってもよい。
【００３３】
そして、これら本実施の形態の遊技用システムを構成する各装置は、図１に示すように、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されているこれら各装置には、当該装置を個々に識別可能な装置ＩＤが付与されているとともに、各装置が装置（ユニット）ＩＤとローカルＩＰアドレスとが対応付けられたＩＰアドレステーブルやユニット管理テーブル（図視せず）等を有することで、該装置（ユニット）ＩＤから特定される各ローカルＩＰアドレスを送信データに付与して送受信することにより、互いにデータの送受を実施できるようになっている。
【００３４】
［システムコントローラ１００］
本実施の形態のシステムコントローラ１００は、上述したように、各会員カード並びに各ビジターカードに残存するプリペイド残額（遊技用価値）を管理しているとともに、通信回線１１を介して、これら会員カードやビジターカードを管理する遊技場外のカード管理会社に設置された管理サーバ１２と双方向のデータ通信を実施できるように接続されていて、これら管理サーバ１２に対してシステムコントローラ１００から、各種の管理情報が送信されることにより、カード管理会社は、該管理サーバ１２にて各遊技場の会員カード並びにビジターカードによる売り上げ等を把握できるようになっている。
【００３５】
［ホールコンピュータ１４０］
本実施の形態のホールコンピュータ１４０には、図１に示すように、遊技場内を監視するための監視カメラシステムが接続されており、該監視カメラシステムにて撮像された遊技場内の監視画像が、各パチンコ遊技機２の台データ等とともに記憶、管理されるようになっている。尚、これらホールコンピュータ１４０にて管理される各パチンコ遊技機２の台データ等の遊技情報は、後述するように、各パチンコ遊技機２に対応するカードユニット３から送信される送信データにより最新の情報に更新されるようになっている。
【００３６】
［カードユニット３］
次に、本実施の形態のカードユニット３について、図２を用いて説明する。カードユニット３とパチンコ遊技機２とは、払出単位として予め定められた複数個（本実施の形態では２５個）のパチンコ玉の貸出に伴う各種の信号、具体的には、パチンコ遊技機２から出力される台端末貸出完了信号（ＥＸＳ）や台ＲＥＡＤＹ信号（ＰＲＤＹ）、制御ユニット３２８より出力されるカードユニットＲＥＡＤＹ信号（ＢＲＤＹ）や台端末貸出要求完了確認信号（ＢＲＱ）を送受可能に接続されているとともに、該パチンコ遊技機２から出力される後述する大当り信号、確変中信号、時短中信号、賞球信号、始動信号が入力可能に接続されている。
【００３７】
本実施の形態のカードユニット３の前面には、図２に示すように、フルカラーＬＥＤにより構成されて複数の色に点灯することでカードユニット３の状態等を報知可能とされた多機能ランプ３０１等の各種表示部、紙幣を挿入するための紙幣挿入口３０２、装置前面より装置前方側に突出形成された突出部３０５、計数済玉数を払出すための計数払出操作を受付けるための払出ボタン３１１、会員カードやビジターカード（以下、「まとめて遊技者カード」という。）を挿入するためのカード挿入口３０９が設けられている。
【００３８】
カードユニット３の前面には、前方に突出する態様にて突出部３０５が設けられている。該突出部３０５において、遊技者と対向する面には、図２に示すように、各種情報を表示可能な表示部３１２と、メインメニュー画面を表示させるためのメニューボタン３１６と、台データを表示させるための台データボタン３１８と、会員カードを受付けた場合において、該会員カードに記録された会員カードＩＤ並びに会員ＩＤにより特定される貯玉数を用いた再プレイ遊技を実施するための再プレイボタン３１９と、再プレイボタン３１９の操作が有効であることを報知するための再プレイ表示部３２０と、ワゴンサービスを担当している店員が所持するリモコン（図示略）からの赤外線信号を受信して電気信号に交換して出力するＩＲ受光ユニット３１５とが設けられており、該表示部３１２の表面には、表示部３１２に表示された各表示項目を指触により入力可能とするための透明タッチパネル３１４が設けられている。また、該突出部３０５内部には、表示部３１２を成す後述する液晶表示器３１３や各ボタンに対応するスイッチが設けられている。
【００３９】
［分煙ボード６４０について］
本実施形態では、図３に示すように、隣接する遊技機の間に分煙ボード６４０が設置されている。分煙ボード６４０が設置されることにより、遊技者が、喫煙をした際に、その煙が、隣接する遊技機で遊技している遊技者まで流動し難くなるように遮る（抑制する）ことができる。分煙ボード６４０は、たとえば、透過性のあるアクリル樹脂を板状に成形したものであり、図３に示すように、長方形が一部欠落している形状をなす。分煙ボード６４０の素材および形状はこれに限られるものではなく、如何なる形状であってもよい。たとえば、長方形状であってもよい。また、本明細書では、横軸方向をｘ軸方向とし、縦軸方向をｙ軸方向とし、奥行き方向をｚ軸方向とする。また、「右」とは遊技機に向かって右側をいい、「左」とは遊技機に向かって左側をいう。
【００４０】
また、後述するように、分煙ボード６４０は、分煙ユニット６００を制御可能なリモコン、複数の分煙ユニット６００を制御可能な制御装置、および遊技者や店員などの手動によりｚ軸方向に移動可能（駆動可能）とされる。具体的には、分煙ボード６４０は、収納されている収納状態（図４参照）と、突出している突出状態（図３、図５参照）とに制御される。突出状態とは、分煙ボード６４０が完全に突出している状態をいい、収納状態とは、分煙ボード６４０が完全に収納している状態をいう。また、突出状態は、収納状態よりも煙を遮ることができる状態である。なお、分煙ボード６４０は、手動などで移動された場合には、分煙ボード６４０が途中まで突出する場合もあるが、このように、分煙ボード６４０が途中まで突出する場合については、変形例で説明する。
【００４１】
［分煙ユニット６００について］
次に、本実施形態の分煙ユニット６００について、図２〜図６を用いて説明する。分煙ユニット６００は、図２に示すように、カードユニット３の左側に配置されるユニットである。このように、分煙ユニット６００は、カードユニット３の左側に配置されることで、分煙ボード６４０が突出されたとしても、遊技者はカードユニット３に設けられている操作部（払出ボタン３１１など）を操作することができる。
【００４２】
分煙ユニット６００は、カードユニット３の左側に設けられた収容部（図示せず）に収容されるものである。本実施形態では、図３に示すように、分煙ユニット６００は、左端の遊技機以外の遊技機それぞれに対応して設けられる。
【００４３】
図２および図６に示されるように、本実施形態の分煙ユニット６００は、リモコン受信部６０４、センサ６０６、障害物検知ランプ６０８、制御部６０９、ボードスイッチ６１０、分煙ボード駆動機構６１２、分煙ボード６４０を含む。
【００４４】
リモコン受信部６０４は、分煙ボード６４０を制御可能なリモコン７００（図１０参照）からの制御信号を受信する箇所である。センサ６０６は、分煙ボード６４０がスライドする（移動する）際に、該分煙ボード６４０が通過する空間に、障害物が存在するか否かを検知するものである。以下、分煙ボード６４０がスライドする際に、該分煙ボード６４０が通過する空間を「通過空間」という。また、「障害物」とは、たとえば、人物や物などをいう。センサ６０６は、障害物を検知できるものであれば如何なるものでもよく、たとえば、光センサ、赤外線センサ、フォトダイオード、放射線センサなどいずれであってもよい。
【００４５】
分煙ボード駆動機構６１２は、分煙ボード６４０を駆動するための機構であり、たとえば、ギアや駆動モータが含まれる機構である。ここで、駆動モータとは、たとえば、ステッピングモータである。制御部６０９は、制御装置１３０からの制御信号、リモコン受信部６０４からの制御信号などの信号に基づいて、分煙ボード駆動機構６１２を駆動するものである。具体的には、制御部６０９は、駆動モータに駆動信号を送信してステッピングモータを駆動させることにより分煙ボード６４０を突出状態または収納状態に制御する。突出状態および収納状態は図４および図５で詳細に説明する。
【００４６】
また、制御部６０９は、ステッピングモータのモータ軸の回転角度（またはステップ数）などを特定することにより、分煙ボード６４０が突出状態および収納状態のうちいずれの状態に制御されているかを特定することができる。なお、分煙ボードが収納状態および突出状態のいずれであるかを制御部６０９が特定できれば、分煙ボード駆動機構６１２は如何なる機構であってもよい。また、分煙ボード６４０が突出状態および収納状態のうちいずれの状態に制御されているかを特定できる分煙ボードセンサ（図示せず）を備えるようにしてもよい。制御部６０９は、該分煙ボードセンサにより分煙ボード６４０が突出状態および収納状態のうちいずれの状態に制御されているかを特定するようにしてもよい。また、これら手法に限らず、他の手法により、制御部６０９が分煙ボードセンサにより分煙ボード６４０が突出状態および収納状態のうちいずれの状態に制御されているかを特定するようにしてもよい。
【００４７】
ボードスイッチ６１０は、店員や遊技者などにより操作されるスイッチである。ボードスイッチ６１０が操作されると、ボードスイッチ６１０から該操作を検知した旨を特定する検知特定信号が制御部６０９に入力される。制御部６０９は、検知特定信号が入力されたときにおいて、分煙ボード６４０が収納状態に制御されていると判断した場合には、分煙ボード６４０を突出状態に制御する。また、制御部６０９が、ボードスイッチ６１０からの検知特定信号を受信することにより、分煙ボード６４０を突出状態に制御するときには、「該制御部６０９が含まれている分煙ユニット６００に対応する遊技機」の右側の遊技機に対応する分煙ユニット６００に突出制御信号を送信する。該右側の遊技機に対応する分煙ユニット６００は、該突出制御信号を受信すると、該右側の遊技機に対応する分煙ユニット６００の分煙ボード６４０が収納状態に制御されているときには、該分煙ボード６４０を突出状態に制御する。これにより、ボードスイッチ６１０が操作されることで、両隣の分煙ボードを一括して突出状態に制御することが出来る。
【００４８】
また、制御部６０９は、検知特定信号が入力されたときにおいて、分煙ボード６４０が突出状態に制御されていると判断した場合には、分煙ボード６４０を収納状態に制御する。また、制御部６０９が、ボードスイッチ６１０からの検知特定信号を受信することにより、分煙ボード６４０を収納状態に制御するときには、「該制御部６０９が含まれている分煙ユニット６００に対応する遊技機」の右側の遊技機に対応する分煙ユニット６００に収納制御信号を送信する。該右側の遊技機に対応する分煙ユニット６００は、該収納制御信号を受信すると、該右側の遊技機に対応する分煙ユニット６００の分煙ボード６４０が突出状態に制御されているときには、該分煙ボード６４０を収納状態に制御する。これにより、ボードスイッチ６１０が操作されることで、両隣の分煙ボードを一括して収納状態に制御することが出来る。
【００４９】
なお、本実施形態では、分煙ユニット６００に１つのボードスイッチ６１０が設けられるとして説明した。ボードスイッチの変形例として、分煙ボードを収納状態に制御させる収納状態制御用ボードスイッチと、分煙ボードを突出状態に制御させる突出状態制御用ボードスイッチと、を設けるようにしてもよい。この場合には、収納状態制御用ボードスイッチが操作されると、分煙ボードが突出状態に制御されているときには、該分煙ボードを収納状態に制御させる。また、突出状態制御用ボードスイッチが操作されると、分煙ボードが収納状態に制御されているときには、該分煙ボードを突出状態に制御させる。
【００５０】
図４は、分煙ボード６４０の収納状態を示す斜視図であり、図５は、分煙ボード６４０の突出状態を示す斜視図である。図４、図５に示すように、分煙ボード６４０は、第１分煙ボード６４４と、第２分煙ボード６４６と、取っ手６４８とを含むものである。第２分煙ボード６４６は第１分煙ボード６４４よりも、厚さが厚い。また、第２分煙ボード６４６は、該第２分煙ボード６４６の内部に第１分煙ボード６４４を収納可能な収納部６４６ａ（空洞）を有する。また、第１分煙ボード６４４はスライド部６４６ｂに係合していることから、第１分煙ボード６４４はスムーズに収納部６４６ａに収納される。分煙ボード６４０が、収納状態（図４参照）である場合には、第１分煙ボード６４４が収納部６４６ａに収納されるとともに、第１分煙ボード６４４を収納した第２分煙ボード６４６は収納部６０２に収納される。このような構成によれば、分煙ボード６４０の収納状態において、奥行き幅を削減することができる。
【００５１】
また、収納状態から突出状態への制御は、第１分煙ボード６４４を第２分煙ボード６４６の収納部６４６ａから突出させ、該第１分煙ボード６４４が全て突出された後に、該第２分煙ボード６４６を突出させる。本実施形態の分煙ボード駆動機構６１２は、このような制御が可能となるように構成されている。また、収納状態から突出状態への制御の変形例として、第１分煙ボード６４４を第２分煙ボード６４６の収納部６４６ａから突出させる処理と、第２分煙ボード６４６を収納部６０２から突出させる処理を並行して行うようにしてもよい。
【００５２】
また、突出状態から収納状態への制御は、第２分煙ボード６４６を収納部６０２に収納させ、該第２分煙ボード６４６が全て収納された後に、第１分煙ボード６４４を第２分煙ボード６４６の収納部６４６ａに収納させるようにしてもよい。本実施形態の分煙ボード駆動機構６１２は、このような制御が可能となるように構成されている。また、突出状態から収納状態への制御の変形例として、第１分煙ボード６４４を第２分煙ボード６４６の収納部６４６ａに収納させる処理と、第２分煙ボード６４６を収納部６０２に収納させる処理を並行して行うようにしてもよい。
【００５３】
［収納部６０２の内部について］
次に、図７を用いて、収納部６０２の内部の構成について説明する。図７（Ａ）は、収納部６０２を真上から見た断面図であり、図７（Ｂ）は、収納部６０２を真正面から見た断面図であり、図７（Ｃ）は、収納部６０２を真横から見た（図７（Ｂ）を右側から見た）断面図である。
【００５４】
図７（Ａ）に示すように、収納部６０２の両側面６０２ａには、付勢手段４０６が設けられている。本実施形態では、付勢手段４０６はバネであるとするが付勢可能な手段であれば如何なる手段であってもよい。図７（Ａ）の例では、付勢手段４０６は、両側面に２つずつ設けられている。また、収納部６０２には、薄板部材４０２Ａ、Ｂが配置される。なお、２つの薄板部材４０２Ａ、Ｂをまとめて「薄板部材４０２」ともいう。付勢手段４０６の一端４０６ａは、側面６０２ａに取り付けられる一方、付勢手段４０６の他端４０６ｂは、薄板部材４０２に取り付けられる。付勢手段４０６により、２つの薄板部材４０２Ａ、Ｂは、互いに、収納部６０２の内側方向（図７（Ｂ）のα方向）に向かって付勢される。
【００５５】
また、図７（Ａ）に示すように、薄板部材４０２の奥行き方向の長さは、収納部６０２の奥行方向の長さＬｚとほぼ等しい。また、図７（Ｂ）に示すように、薄板部材４０２の高さ方向の長さは、収納部６０２の高さ方向の長さＬｙとほぼ等しい。また、薄板部材４０２の厚みは、所定の厚みとする。
【００５６】
ところで、分煙ボード６４０は、遊技者が喫煙した煙の流動を遮るものであることから、該分煙ボード６４０には煙草の煙などに基づく汚れや不純物が付着される。そこで、本実施形態では、分煙ボード６４０に付着された汚れや不純物を清掃する（除去する）シート４０４が取り付けられる。シート４０４は、薄板部材４０２Ａおよび４０２Ｂの側面のうち対向する側面４０２ａにおいて、開口部６０２ｂ付近に取り付けられている。また、シート４０４は、面４０２ａに着脱可能に取り付けられる。シート４０４の薄板部材４０２への取付手法は、着脱可能であれば如何なるものであってもよく、たとえば、マジックテープや両面テープを用いるようにしてもよい。また、シート４０４は、分煙ボード６４０の汚れや付着物を除去する素材であればよく、たとえば、布製などとすればよい。また、シート４０４には、除去作用を強めるための洗剤などを塗布するようにしてもよい。
【００５７】
収納部６０２をこのような構成にすることにより、制御部６０９が、分煙ボード６４０を、収納状態から突出状態、または突出状態から収納状態に制御する途中に、シート４０４が、分煙ボード６４０の両面を清掃することができる。具体的には、付勢手段４０６は、２つの薄板部材４０２を中央方向（図７のα方向）に付勢している。また、該２つの薄板部材４０２それぞれには、シート４０４が取り付けられている。したがって、２つのシートはそれぞれ分煙ボード６４０の両面に圧接させるようにすることができる。よって、２つのシート４０４がそれぞれ分煙ボード６４０の両面に圧接されている状態で、分煙ボード６４０をｚ軸方向に駆動すると、該駆動力により、分煙ボード６４０の両面が、該シート４０４により清掃される。
【００５８】
また、本実施形態の分煙ボード６４０は、それぞれ厚みが異なる第１分煙ボード６４４および第２分煙ボード６４６を含む。２つのシート４０４は、付勢手段４０６により２つのシート４０４は中央方向に付勢されていることから、第１分煙ボード６４４の両面、および第２分煙ボード６４６の両面について、シート４０４を圧接させることができる。したがって、シート４０４は、第１分煙ボード６４４および第２分煙ボード６４６の両面を清掃することができる。
【００５９】
［分煙関連処理について］
次に、分煙ユニット６００の制御部６０９が実行する分煙関連処理について説明する。図８は、分煙関連処理のフローチャートの一例を示す図である。Ｓ１０において、制御部６０９は、制御信号が入力されたか否かが判断される。ここで、制御信号とは、収納信号および突出信号を含むものである。収納信号とは、Ｓ１６およびＳ１８で説明するように、分煙ボード６４０が突出状態に制御されているときにおいて、該分煙ボード６４０を収納状態に制御させるための信号である。また、突出信号とは、Ｓ２０およびＳ２２で説明するように、分煙ボード６４０が収納状態に制御されているときにおいて、該分煙ボード６４０を突出状態に制御させるための信号である。
【００６０】
本実施形態では、制御信号は、制御装置１３０、リモコン７００から入力される信号である。なお、ボードスイッチ６１０からは検知特定信号が制御部６０９に入力される。Ｓ１０において、制御信号が入力された（収納信号または突出信号のうちいずれかが入力された）と判断されるまで、制御部６０９は待機する（Ｓ１０のＮｏ）。また、Ｓ１０において、制御信号が入力された（収納信号または突出信号のうちいずれかが入力された）と、制御部６０９が判断すると（Ｓ１０のＹｅｓ）、Ｓ１２に進む。
【００６１】
Ｓ１２において、分煙ボード６４０の通過空間に障害物があるか否かを判断する。具体的には、制御部６０９は、センサ６０６からの検出信号によりＳ１２の判断を行う。たとえば、センサ６０６は、該センサ６０６が障害物を検知したときには、該障害物を検知した旨を特定できる検出信号を制御部６０９に対して送信する。また、センサ６０６は、該センサ６０６が障害物を検知していないときには、何ら信号を送信しない。なお、センサ６０６は、該センサ６０６が障害物を検知していないときには、障害物を検知していない旨を特定できる検出信号を制御部６０９に対して送信するようにしてもよい。
【００６２】
なお、センサ６０６を設けずに、通過空間に障害物が存在するか否かを検知せずに、分煙ボード６４０を制御する構成としてもよい。このような構成によれば、センサ６０６の部品点数を削減できる。
【００６３】
Ｓ１２において、通過空間に障害物がないと判断された場合には（Ｓ１２のＮｏ）、Ｓ１４に進む。Ｓ１４において、入力された制御信号は、収納信号であるか否かが判断される。本実施形態では、収納信号と、突出信号とでたとえば波形が異なる。したがって、制御部６０９は、制御信号の波形を特定することにより、該制御信号のうち収納信号および突出信号のうちのいずれであるかを特定する。なお、変形例として、収納信号と突出信号とで、他のパラメータを異ならせるようにしてもよい。
【００６４】
Ｓ１４において、入力された制御信号が収納信号であると判断された場合には（Ｓ１４のＹｅｓ）、Ｓ１６において、分煙ボード６４０が突出状態に制御されているか否かが判断される。Ｓ１６において、突出状態に制御されていると判断されると（Ｓ１６のＹｅｓ）、Ｓ１８において、分煙ボード６４０を収納状態に制御する。
【００６５】
一方、Ｓ１４において、入力された制御信号が収納信号ではない、つまり、突出信号であると判断された場合には（Ｓ１４のＮｏ）、Ｓ２０において、分煙ボード６４０が収納状態に制御されているか否かが判断される。Ｓ２０において、収納状態に制御されていると判断されると（Ｓ２０のＹｅｓ）、Ｓ２２において、分煙ボード６４０を突出状態に制御する。
【００６６】
Ｓ１８、Ｓ２２の処理が終了すると、Ｓ１０に戻る。また、Ｓ１４において制御信号が収納信号であると判断された場合（Ｓ１４でＹｅｓ）において、Ｓ１６で収納状態に制御されていると判断された場合（Ｓ１６でＮｏ）、何ら制御を行わずＳ１０に戻る。また、Ｓ１４において制御信号が突出信号であると判断された場合（Ｓ１４でＮｏ）において、Ｓ２０で突出状態に制御されていると判断された場合（Ｓ２０でＮｏ）、何ら制御を行わずＳ１０に戻る。
【００６７】
また、Ｓ１２において、分煙ボード６４０の通過空間に障害物があると判断されると（Ｓ１２のＹｅｓ）、Ｓ１３において、制御部６０９は、障害物検知ランプ６０８を点灯させる。そして、分煙ボード６４０の制御は行わずにＳ１０に戻る。このように、分煙ボード６４０が駆動していないとき（つまり、分煙ボード６４０が収納状態に制御されているとき、または、突出状態に制御されているとき）であり、かつ制御信号が入力されたときにおいて、分煙ボード６４０の通過空間に、障害物があると判断されたときには、障害物検知ランプ６０８を点灯させることにより、店員、遊技者などに対して、障害物があることにより分煙ボード６４０を制御することができない旨を報知できる。
【００６８】
［制御装置１３０の表示画面について］
次に、本実施形態の制御装置１３０の表示部（たとえば、ディスプレイ）に表示される画面１３０２の一例について説明する。制御装置１３０は、操作者（たとえば、遊技店などの責任者など）の操作により、該制御装置１３０が設置されている遊技店に配置されている複数の分煙ユニット６００を一括で制御できる。また、該遊技店に設置されている全ての遊技機それぞれには、遊技機ＩＤが付与されている。本実施形態では、該遊技店に２００台の遊技機が設置されており、該２００台の遊技機それぞれに、遊技機ＩＤとしてＡ１〜Ａ２００が付与されている。また、２００台それぞれの遊技機の参照符号を遊技機ＩＤとする。たとえば、遊技機ＩＤがＡ１である遊技機を「遊技機Ａ１」という。
【００６９】
まず、収納入力領域１３０２Ａについて説明する。収納入力領域１３０２Ａは、分煙ボード６４０を収納させる遊技機ＩＤが入力される領域である。収納入力領域１３０２Ａへの遊技機ＩＤの入力手法は、たとえば、マウスおよびキーボードなどが操作されることにより入力される。また、音声入力などにより、収納入力領域１３０２Ａに遊技機ＩＤを入力するようにしてもよい。収納入力領域１３０２Ａに遊技機ＩＤが入力されて、収納実行ボタン１３０２Ｂがクリックされると、該入力された遊技機ＩＤから特定される遊技機の両側の分煙ボード６４０が、突出状態に制御されているときには、該突出状態から収納状態に制御される。
【００７０】
具体的には、「該入力された遊技機ＩＤから特定される遊技機の分煙ユニット６００の分煙ボード６４０」、および「該遊技機の右隣の遊技機の分煙ユニット６００の分煙ボード６４０」が、収納状態から突出状態に制御される。なお、各島の右端に位置する遊技機の遊技機ＩＤが収納入力領域１３０２Ａに入力されて、収納実行ボタン１３０２Ｂがクリックされると、該遊技機に対応する分煙ユニット６００の分煙ボードが収納状態に制御される。また、各島の左端に位置する遊技機の遊技機ＩＤが収納入力領域１３０２Ａに入力されて、収納実行ボタン１３０２Ｂがクリックされると、該遊技機の右側に位置する遊技機に対応する分煙ユニット６００の分煙ボードが収納状態に制御される。
【００７１】
次に、制御装置１３０からそれぞれの分煙ユニット６００への収納信号の送信について説明する。制御装置１３０は、収納入力領域１３０２Ａに入力された遊技機ＩＤから特定される遊技機の分煙ユニット６００、および該遊技機の右隣の遊技機の分煙ユニット６００の双方に対して、収納信号を送信し、これら以外の分煙ユニット６００に対しては、収納信号を送信しないようにする。また、収納入力領域１３０２Ａに入力された遊技機ＩＤから特定される遊技機が、各島の右端に位置する遊技機である場合には、制御装置１３０は、該遊技機に対応する分煙ユニット６００に対して収納信号を送信する。また、収納入力領域１３０２Ａに入力された遊技機ＩＤから特定される遊技機が、各島の左端に位置する遊技機である場合には、該遊技機の右側に位置する遊技機に対応する分煙ユニット６００に対して収納信号を送信する。
【００７２】
次に、突出入力領域１３０２Ｃについて説明する。突出入力領域１３０２Ｃは、分煙ボード６４０を突出させる遊技機ＩＤが入力される領域である。突出入力領域１３０２Ｃへの遊技機ＩＤの入力手法は、たとえば、マウスおよびキーボードなどが操作されることにより入力される。また、音声入力などにより、突出入力領域１３０２Ｃに遊技機ＩＤを入力するようにしてもよい。突出入力領域１３０２Ｃに遊技機ＩＤが入力されて、突出実行ボタン１３０２Ｄがクリックされると、該入力された遊技機ＩＤから特定される遊技機の両側の分煙ボード６４０が、収納状態に制御されているときには、該収納状態から突出状態に制御される。
【００７３】
具体的には、「該入力された遊技機ＩＤから特定される遊技機の分煙ユニット６００の分煙ボード６４０」、および「該遊技機の右隣の遊技機の分煙ユニット６００の分煙ボード６４０」の双方が、収納状態から突出状態に制御される。なお、各島の右端に位置する遊技機の遊技機ＩＤが突出入力領域１３０２Ｃに入力されて、突出実行ボタン１３０２Ｄがクリックされたときには、該遊技機に対応する分煙ユニット６００の分煙ボードが突出状態に制御される。また、各島の左端に位置する遊技機の遊技機ＩＤが突出入力領域１３０２Ｃに入力されて、突出実行ボタン１３０２Ｄがクリックされたときには、該遊技機の右側に位置する遊技機に対応する分煙ユニット６００の分煙ボードが突出状態に制御される。
【００７４】
次に、制御装置１３０からそれぞれの分煙ユニット６００への突出信号の送信について説明する。制御装置１３０は、突出入力領域１３０２Ｃに入力された遊技機ＩＤから特定される遊技機の分煙ユニット６００、および該遊技機の右隣の遊技機の分煙ユニット６００の双方に対して、突出信号を送信し、これら以外の分煙ユニット６００に対しては、突出信号を送信しないようにする。また、突出入力領域１３０２Ｃに入力された遊技機ＩＤから特定される遊技機が、各島の右端に位置する遊技機である場合には、制御装置１３０は、該遊技機に対応する分煙ユニット６００に対して突出信号を送信する。また、突出入力領域１３０２Ｃに入力された遊技機ＩＤから特定される遊技機が、各島の左端に位置する遊技機である場合には、該遊技機の右側に位置する遊技機に対応する分煙ユニット６００に対して突出信号を送信する。
【００７５】
次に、遊技機配置画面１３０２Ｅについて説明する。遊技機配置画面１３０２Ｅには、全ての遊技機（本実施形態では、２００台）の配置と、遊技している遊技者が喫煙者であるか否かを特定できる喫煙者情報１３０２Ｇと、遊技機の両端に分煙ボード６４０が突出されているか否かを特定できる分煙ボード情報１３０２Ｈとが表示される。遊技機配置画面１３０２Ｅのうちの白丸は、遊技機が稼働していないこと（遊技者が遊技していないこと）を示し、黒丸は、遊技機が稼働していること（遊技者が遊技していること）を示す印である。なお、図９の遊技機配置画面１３０２Ｅでは、遊技機Ａ１〜Ａ３、遊技機Ａ１９８〜Ａ２００のみが示されているが、実際は、遊技機Ａ１〜Ａ２００まで全て表示される。
【００７６】
次に、喫煙者情報１３０２Ｇについて説明する。喫煙者情報１３０２Ｇにおいて、喫煙者が遊技している場合には、遊技機配置画面１３０２Ｅに示すように、黒丸とともに「喫煙」という文字が表示される。また、黒丸の表示のみで「喫煙」という文字が表示されていない場合には、非喫煙者が遊技していることを示す。遊技機配置画面１３０２Ｅの例では、また、遊技機Ａ３で、喫煙者が遊技していることが示され、遊技機Ａ２、Ａ１９８〜Ａ２００では、非喫煙者が遊技していることが示される。
【００７７】
次に、喫煙者情報１３０２Ｇの表示手法について説明する。本実施形態のカードユニット３は、会員カードがカード挿入口３０９に挿入されたときには、カードユニット３は、該会員カードに喫煙者特定情報が格納されているかを判断する。ここで、喫煙者特定情報とは、喫煙者であるか否かを特定する情報である。喫煙者特定情報が格納された会員カードがカード挿入口３０９に挿入されたときには、該喫煙者特定情報は、制御装置１３０に対して送信される。
【００７８】
次に、会員カードに喫煙者特定情報が格納されるタイミングについて説明する。たとえば、会員登録時に、会員登録をする遊技者が喫煙者であるか否かを店員が把握して、該把握した内容に応じた喫煙者特定情報を、該店員などが会員カードに格納するようにしてもよい。また、各カードユニット３が煙草の煙を検知する煙センサを備えるようにしてもよい。この場合には、会員カードがカード挿入口３０９に挿入されている状態において、カードユニット３の煙センサが煙草の煙を検知すると、該挿入されている会員カードを所有する遊技者が喫煙者であるとして、該カードユニット３は、挿入されている会員カードに、喫煙者であることが特定される喫煙者特定情報を格納するようにしてもよい。
【００７９】
また、メニューボタン３１６を操作することにより、カードユニット３の表示部３１２に、喫煙者であるか否かを入力させる入力画面を表示させるようにしてもよい。該入力画面から遊技者が喫煙者である旨を入力すると、喫煙者である旨が特定される喫煙者特定情報が該会員カードに格納されるとともに、該喫煙者特定情報が制御装置１３０に対して送信される。一方、該入力画面から遊技者が喫煙者でない旨を入力すると、該会員カードに喫煙者でない旨の喫煙者特定情報が該会員カードに格納されるとともに、該喫煙者特定情報が制御装置１３０に対して送信される。このような構成によれば、遊技者の所望のタイミングで、会員カードに喫煙者特定情報を入力可能とできる。したがって、たとえば、煙草を吸わなかった遊技者が喫煙するようになった場合には、該遊技者に、喫煙者であることを特定できる喫煙者特定情報を会員カードに格納させるようにすることができる。また、喫煙者であった遊技者が煙草を吸わなくなった場合には、該遊技者は、喫煙者でないことを特定できる喫煙者特定情報を会員カードに格納させるようにすることができる。よって、煙草を吸わなかった遊技者が喫煙するようになった場合、または、喫煙者であった遊技者が煙草を吸わなくなった場合であっても、遊技者の喫煙状況に応じた分煙ボード６４０の制御を行うことができる。
【００８０】
また、カードユニット３は、挿入された会員カードに喫煙者特定情報が格納されていると判断すると、入力画面を表示部３１２に表示させることなく、該格納されている喫煙者特定情報を制御装置１３０に対して送信する。
【００８１】
制御装置１３０は、カードユニット３から送信された喫煙者特定情報を受信して解析することにより、該カードユニット３に対応する遊技機で遊技している遊技者が喫煙者であるか否かを特定し、該特定された結果に基づいて、喫煙者情報１３０２Ｇを表示する。なお、遊技場内に設置されている監視カメラにより、遊技者が喫煙者であるか否かを判断し、制御装置１３０の操作者が制御装置１３０に対して喫煙者特定情報を入力するようにしてもよい。
【００８２】
次に、分煙ボード情報１３０２Ｈの表示手法について説明する。各分煙ユニット６００は、分煙ボード６４０が突出状態に制御されたときには、該突出状態に制御されていることを特定できる突出特定情報を制御装置１３０に対して送信する。また、各分煙ユニット６００は、分煙ボード６４０が収納状態に制御されたときには、該収納状態に制御されていることを特定できる収納特定情報を制御装置１３０に対して送信する。制御装置１３０は、分煙ユニット６００から送信された突出特定情報および収納特定情報に基づいて、分煙ボード情報１３０２Ｈを表示する。
【００８３】
制御装置１３０の操作者は、図９の遊技機配置画面１３０２Ｅを視認して、喫煙者が遊技しているにも関わらず、分煙ボード６４０が収納状態に制御されていることを把握すると、喫煙者情報１３０２Ｇが表示されている遊技機の遊技機ＩＤ（図９の例では、遊技機Ａ３）を、突出入力領域１３０２Ｃに入力して、突出実行ボタン１３０２Ｄをクリックする。そうすると、制御装置１３０は、「該入力された遊技機ＩＤ（Ａ３）から特定される遊技機の分煙ユニット６００の分煙ボード６４０」、および「該遊技機の右隣の遊技機の分煙ユニット６００の分煙ボード６４０」の双方を突出状態に制御する。
【００８４】
また、制御装置１３０の操作者は、図９の遊技機配置画面１３０２Ｅを視認して、喫煙していない遊技者が遊技しているにも関わらず、分煙ボード６４０が突出状態に制御されていることを把握すると、喫煙者情報１３０２Ｇが表示されていない遊技機の遊技機ＩＤ（図９の例では、遊技機Ａ１９９）を、突出入力領域１３０２Ｃに入力して、突出実行ボタン１３０２Ｄをクリックする。そうすると、制御装置１３０は、「該入力された遊技機ＩＤから特定される遊技機の分煙ユニット６００の分煙ボード６４０」、および「該遊技機の右隣の遊技機の分煙ユニット６００の分煙ボード６４０」の双方を突出状態に制御する。
【００８５】
また、制御装置１３０は、カードユニット３から送信された喫煙者特定情報を受信して解析することにより、該カードユニット３に対応する遊技機で遊技している遊技者が喫煙者であるか否かを特定し、該特定された結果に基づいて、各分煙ユニットの分煙ボードを制御するようにしてもよい。具体的には、制御装置１３０が、喫煙者である旨を特定できる喫煙者特定情報を受信すると、該喫煙者特定情報の送信元の分煙ユニット６００の分煙ボード６４０、および該分煙ユニット６００に対応する遊技機の右隣の遊技機の分煙ユニット６００の分煙ボード６４０を突出状態に制御する。また、制御装置１３０が、喫煙者ではない旨を特定できる喫煙者特定情報を受信すると、該喫煙者特定情報の送信元の分煙ユニット６００の分煙ボード６４０、および該分煙ユニット６００に対応する遊技機の右隣の遊技機の分煙ユニット６００の分煙ボード６４０を収納状態に制御する。
【００８６】
このように、喫煙者特定情報に基づいて、制御装置１３０が、自動的に、各分煙ユニットの分煙ボードを制御することにより、分煙ボードを管理する者の負担を軽減できる。
【００８７】
また、予め、遊技店に設置されている複数の分煙ユニット（または遊技機）をグループ化するようにしてもよい。ここで、グループとは、遊技島ごとに分けられるものであってもよい。また、グループは、分煙ユニットに対応する遊技機の機種ごとに分けられるものであってもよい。このような構成の場合には、制御装置１３０は、各グループと、該グループに属する分煙ユニットとが対応付けられたグループテーブルを保持する。このような構成によれば、制御装置１３０の操作者は、グループを指定する操作を行うことにより、制御装置１３０は、該指定されたグループに属する全ての分煙ユニットに対して制御信号を送信する。このように、指定されたグループに属する遊技機に対応する分煙ユニットの分煙ボードをまとめて制御できることから、制御装置１３０の操作者の負担を軽減できる。
【００８８】
［リモコン７００について］
次に、本実施形態のリモコン７００について説明する。本実施形態の分煙ユニット６００は、リモコン７００からの制御信号でも、分煙ボード６４０を制御可能である。これにより、リモコン７００を操作する操作者は、該リモコン７００を携帯しながら、分煙ボード６４０を制御可能となることから、分煙ボード６４０を確認しながら、該分煙ボード６４０を制御することができ、該店員の利便性を向上させることができる。図１０は、リモコン７００の表示画面の一例である。本実施形態のリモコン７００は、タッチパネル機能を備えた表示部７００Ａと、ハードキー７００Ｂとを含む。リモコン７００は、店員により保持されるものである。なお、ハードキー７００Ｂを表示部７００Ａと同様にタッチパネル機能を備えたソフトキーとしてもよい。
【００８９】
図１０（Ａ）に示すように、表示部７００Ａには、突出ボタン７０２Ａと収納ボタン７０４Ａとが表示される。店員などにより、突出ボタン７０２Ａが操作（タッチ）されると、表示部７００は、図１０（Ｂ）に示す画面に遷移される。図１０（Ｂ）には、突出入力領域７０６Ａと、突出実行ボタン７０８Ａと表示される。
【００９０】
突出入力領域７０６Ａには、分煙ボード６４０を収納させる遊技機ＩＤが入力される領域である。突出入力領域７０６Ａへの遊技機ＩＤの入力手法は、たとえば、遊技店の店員などにより、ハードキー７００Ｂが操作されることにより入力される。また、音声入力などにより、突出入力領域７０６Ａに遊技機ＩＤが入力されるようにしてもよい。
【００９１】
突出入力領域７０６Ａに遊技機ＩＤが入力されて、突出実行ボタン７０８Ａが操作（タッチ）されると、該入力された遊技機ＩＤから特定される遊技機の両側の分煙ボード６４０が、収納状態から突出状態に制御される旨が含まれたリモコン制御信号（たとえば、赤外線）が、リモコン７００からリモコン受信部６０４に対して送信される。
【００９２】
ここで、該リモコン制御信号がリモコン受信部６０４に対して送信された後の処理について説明する。制御部６０９は、該リモコン制御信号を解析することにより、該リモコン制御信号に含まれている、「突出入力領域７０６Ａに入力された遊技機ＩＤ」を特定する。制御部６０９は、「該特定された遊技機ＩＤ」、および「該遊技機ＩＤから特定される遊技機の両側の分煙ボードを突出状態に制御する旨」の制御信号を制御装置１３０に対して送信する。制御装置１３０は、該制御信号を受信すると、該制御信号に含まれる遊技機ＩＤから特定される遊技機の両側の分煙ボード６４０が、収納状態から突出状態に制御されるように、突出信号を各分煙ユニットに対して送信する。
【００９３】
また、図１０（Ａ）に示す収納ボタン７０４Ａが操作（タッチ）されると、表示部７００は、収納入力領域（図示せず）が表示される。収納入力領域は分煙ボード６４０を収納させる遊技機ＩＤが入力される領域である。収納入力領域への遊技機ＩＤの入力手法は、たとえば、遊技店の店員などにより、ハードキー７００Ｂが操作されることにより入力される。また、音声入力などにより、突出入力領域７０６Ａに遊技機ＩＤが入力されるようにしてもよい。
【００９４】
また、収納入力領域（図示せず）に遊技機ＩＤが入力されて、収納実行ボタン（図示せず）が操作（タッチ）されると、該入力された遊技機ＩＤから特定される遊技機の両側の分煙ボード６４０が、突出状態から収納状態に制御される旨が含まれたリモコン制御信号（たとえば、赤外線）が、リモコン７００からリモコン受信部６０４に対して送信される。
【００９５】
ここで、該リモコン制御信号がリモコン受信部６０４に対して送信された後の処理について説明する。制御部６０９は、該リモコン制御信号を解析することにより、該リモコン制御信号に含まれている、「収納入力領域に入力された遊技機ＩＤ」を特定する。制御部６０９は、「該特定された遊技機ＩＤ」および「該遊技機ＩＤから特定される遊技機の両側の分煙ボードを収納状態に制御する旨」の制御信号を制御装置１３０に対して送信する。制御装置１３０は、該送信された遊技機ＩＤから特定される遊技機の両側の分煙ボード６４０が、突出状態から収納状態に制御されるように、収納信号を各分煙ユニットに対して送信する。
【００９６】
なお、「リモコン７００の突出入力領域７０６Ａに遊技機ＩＤが入力されて該リモコン７００からリモコン制御信号がカードユニット３に送信された場合」と、「制御装置１３０の突出入力領域１３０２Ｃに遊技機ＩＤが入力されて突出実行ボタンが操作された場合」とで、制御装置１３０が各分煙ユニットに対して、突出信号を送信する処理を共通化にすることが好ましい。また、「リモコン７００の収納入力領域に遊技機ＩＤが入力されて該リモコン７００からリモコン制御信号がカードユニット３に送信された場合」と、「制御装置１３０の収納入力領域１３０２Ａに遊技機ＩＤが入力されて収納実行ボタンが操作された場合」とで、制御装置１３０が各分煙ユニットに対して、収納信号を送信する処理を共通化にすることが好ましい。このように処理を共通化することにより、制御装置１３０の処理負担を軽減できる。
【００９７】
また、リモコン７００は、遊技機ＩＤを入力しない構成としてもよい。この場合には、リモコン７００の送信部を分煙ユニット６００のリモコン受信部６０４に向けた状態でリモコン７００の突出実行ボタン７０８Ａが操作されると、該分煙ユニットの両側の分煙ボード６４０が突出状態に制御されるようにしてもよい。また、リモコン７００の送信部を分煙ユニット６００のリモコン受信部６０４に向けた状態でリモコン７００の収納実行ボタンが操作されると、該分煙ユニットの両側の分煙ボード６４０が収納状態に制御されるようにしてもよい。
【００９８】
また、予め、遊技店に設置されている複数の分煙ユニット（または遊技機）をグループ化するようにしてもよい。ここで、グループとは、遊技島ごとに分けられるものであってもよい。また、グループは、分煙ユニットに対応する遊技機の機種ごとに分けられるものであってもよい。このような構成の場合には、各分煙ユニット６００は、各グループと、該グループに属する分煙ユニットとが対応付けられたグループテーブルを保持する。リモコン７００の操作者は、制御対象の分煙ユニットに対して、制御信号を送信する操作およびグループを指定する操作を行う。そうすると、該リモコン７００から、指定されたグループが含まれた制御信号が該制御対象の分煙ユニットに対して送信される。該制御信号を受信した分煙ユニット（制御対象の分煙ユニット）は、保持しているグループテーブルを参照して、指定されたグループに属する全ての分煙ユニットに対して制御信号を送信する。このように、指定されたグループに属する遊技機に対応する分煙ユニットの分煙ボードをまとめて制御できることから、リモコン７００の操作者の負担を軽減できる。
【００９９】
なお、リモコン７００が、グループテーブルを保持し、リモコン７００の操作者により、制御信号を送信する操作およびグループを指定する操作が行われると、保持しているグループテーブルを参照して、指定されたグループに属する全ての分煙ユニットに対して制御信号を送信するようにしてもよい。このような構成であっても、指定されたグループに属する遊技機に対応する分煙ユニットの分煙ボードをまとめて制御できることから、リモコン７００の操作者の負担を軽減できる。
【０１００】
［本実施形態の分煙ユニットの効果について］
以下に、本実施形態における分煙ユニット６００により奏される効果について説明する。
【０１０１】
（１）  本実施形態の分煙ユニット６００は、分煙ボード６４０が突出状態に制御されているときにおいて、収納信号が入力されると収納状態に制御される（図８のＳ１４、Ｓ１６、Ｓ１８参照）。したがって、店員などにより手動で分煙ボード６４０を収納させる必要はなく、店員の煩雑さを軽減できる。
【０１０２】
（２）  また、分煙ボード６４０が収納状態に制御されているときにおいて、突出信号が入力されると突出状態に制御される（図８のＳ１４、Ｓ２０、Ｓ２２参照）。したがって、店員などにより手動で分煙ボード６４０を突出させる必要はなく、店員の煩雑さを軽減できる。
【０１０３】
（３）  また、分煙ボード６４０は、制御装置１３０からの制御信号に基づいて、制御可能である。したがって、制御装置１３０により分煙ユニット６００と離れた位置から、分煙ボード６４０を制御することができる。
【０１０４】
（４）  また、図９の収納入力領域１３０２Ａに分煙ボードを収納させる遊技機の遊技機ＩＤを入力することにより、一括で複数の分煙ユニット６００それぞれの分煙ボードを収納させることができる。また、図９の突出入力領域１３０２Ｃに分煙ボードを突出させる遊技機の遊技機ＩＤを入力することにより、一括で複数の分煙ユニット６００それぞれの分煙ボードを突出させることができる。このように、制御装置１３０により一括で複数の分煙ボードを制御することができるので、店員の煩雑さを軽減できる。
【０１０５】
（５）  また、制御装置１３０の操作者は、分煙ボード６４０を制御させたい（収納させたいまたは突出させたい）遊技機の遊技機ＩＤを指定することができる。したがって、操作者は所望の分煙ボードを制御させることができ、分煙ボード６４０の制御の利便性を向上させることができる。
【０１０６】
（６）  また、図９のように、遊技機配置画面１３０２Ｅでは、喫煙者情報１３０２Ｇが表示されることから、制御装置１３０の操作者は、遊技者が喫煙者であるか否かを判別することができる。したがって、制御装置１３０の操作者は、遊技者が喫煙者であるか否かに応じて、分煙ボード６４０を制御することができることから、分煙ボード６４０の制御の利便性を向上させることができる。
【０１０７】
（７）  また、図９のように、遊技機配置画面１３０２Ｅでは、分煙ボードが突出されているか収納されているかを特定できる分煙ボード情報１３０２Ｈが表示されることから、制御装置１３０の操作者は、分煙ボード６４０が突出されている遊技機を一目で把握することができる。したがって、分煙ボード６４０の制御の利便性を向上させることができる。
【０１０８】
（８）  また、分煙ボード６４０は、リモコン７００からの制御信号に基づいて、制御可能である。したがって、リモコン７００により分煙ユニット６００と離れた位置から、分煙ボード６４０を制御することができる。
【０１０９】
（９）  また、図１０に示すように、リモコン７００の表示部７００Ａに表示された突出入力領域７０６Ａに分煙ボードを突出させる遊技機の遊技機ＩＤを入力することにより、一括で複数の分煙ユニット６００それぞれの分煙ボードを突出させることができる。また、リモコン７００の表示部７００Ａに表示された収納入力領域（図示せず）に分煙ボードを収納させる遊技機の遊技機ＩＤを入力することにより、一括で複数の分煙ユニット６００それぞれの分煙ボードを収納させることができる。このように、リモコン７００により一括で複数の分煙ボードを制御することができるので、店員の煩雑さを軽減できる。
【０１１０】
（１０）  また、リモコン７００の操作者は、分煙ボードを制御させたい（収納させたいまたは突出させたい）遊技機の遊技機ＩＤを指定することができる。したがって、操作者は所望の分煙ボードを制御させることができ、分煙ボードの制御の利便性を向上させることができる。
【０１１１】
（１１）  また、２つのシート４０４が中央方向（α方向）に向かって付勢されており、分煙ボード６４０の両面それぞれに２つのシート４０４を圧接させることができる。したがって、分煙ボード６４０が制御される途中で、分煙ボード６４０の両面が２つのシート４０４により清掃される。よって、極力、分煙ボード６４０を綺麗に保つことができる。
【０１１２】
（１２）  また、２つのシート４０４それぞれは、２つの薄板部材４０２Ａおよび４０２Ｂそれぞれに着脱可能に取り付けられている。２つのシート４０４に付着された汚れや付着物などが多くなると、該シート４０４を取り外し、綺麗なシートに取り換えることができる。
【０１１３】
（１３）  また、中央方向（α方向）に向かって付勢されている２つのシート４０４により、分煙ボード６４０の両面を清掃する。したがって、分煙ボード６４０が、厚みの異なる２つのボード（第１分煙ボード６４４、第２分煙ボード６４６）を備える構成であっても、第１分煙ボード６４４および第２分煙ボード６４６の両面それぞれに、２つのシートを圧接させることができ、第１分煙ボード６４４および第２分煙ボード６４６の両面を清掃できる。また、２枚の薄板部材４０２Ａ、４０２Ｂはそれぞれ中央方向に付勢されていることから、分煙ボード６４０を収納部６０２内でブレないようにすることができ、安定して分煙ボード６４０を制御させることができる。
【０１１４】
（１４）  また、図８のＳ１２に示すように、分煙ボード６４０を制御するときにおいて、通過空間に障害物がある場合には分煙ボード６４０を制御させない。これにより、たとえば、分煙ボード６４０が収納状態に制御されているときにおいて、該分煙ボード６４０が突出状態に制御されている途中に、分煙ボード６４０が障害物に衝突することを防ぐことができる。また、分煙ボード６４０が突出状態に制御されているときにおいて、該分煙ボード６４０が収納状態に制御されている途中に、分煙ボード６４０が障害物（たとえば、人間の指など）を巻き込まないようにすることができる。
【０１１５】
（１５）  また、図８のＳ１３に示すように、制御信号が入力されたにもかかわらず、通過空間に障害物が存在した場合には、分煙ボード６４０を制御させずに、障害物検知ランプ６０８を点灯させる。したがって、障害物の存在により分煙ボード６４０が制御されなかったときには、該分煙ボード６４０が制御されなかった原因が、分煙ユニット６００の故障などではなく、障害物の存在であることを「分煙ボード６４０を制御させる操作を行った者」に認識させることができる。
【０１１６】
（１６）  また、分煙ボード６４０は、ボードスイッチ６１０の操作によっても制御可能である。したがって、「遊技者が分煙ボードを制御したいと感じたが、店員などを呼ぶことが煩雑な場合」や、「リモコン７００を保持していない店員が分煙ボードを制御したい場合」などには、該遊技者自身または該店員が、ボードスイッチ６１０を操作することにより、分煙ボードを制御させるようにしてもよい。
【０１１７】
（１７）  また、分煙ボード６４０は、取っ手６４８を含むことから、手動ででも、分煙ボード６４０を突出状態にしたり収納状態にすることができる。
【０１１８】
[変形例]
以上、本発明の実施形態を図面により説明してきたが、本発明はこの実施形態に限定されるものではない。本発明は、上記の実施形態に限られず、種々の変形、応用が可能である。以下、本発明に適用可能な変形例などについて説明する。また、前述した本実施形態で説明した技術事項、および、以下の変形例で説明する技術事項のうち少なくとも２つを組み合わせて実施するようにしてもよく、前述した本実施形態で説明した技術事項を以下の変形例で説明する技術事項に置換して実施するようにしてもよく、当該置換したものに対して、以下の変形例で説明する技術事項をさらに組み合わせて実施するようにしてもよい。
【０１１９】
［分煙ボードについて］
（１）  本実施形態では、分煙ボードの状態として、分煙ボードが完全に収納されている収納状態と、分煙ボードが完全に突出されている突出状態があるとして説明した。しかしながら、たとえば、遊技者や店員などにより手動で分煙ボードが移動されたときなどには、分煙ボードが途中まで突出される状態がある。本変形例では、分煙ボードが途中まで（分煙ボードの一部が）突出されている状態を「途中状態」という。また、本変形例と同様に、分煙ボードが完全に収納されている状態を「収納状態」といい、分煙ボードが完全に突出されている状態を「突出状態」という。
【０１２０】
このような構成の場合において、図８の例では、Ｓ１６の処理では、突出状態および途中状態のうちのいずれであるかが判断される。Ｓ１６においてＹｅｓであれば、Ｓ１８に進み、Ｓ１６においてＮｏであればＳ１０に戻る。つまり、Ｓ１６では、分煙ボードの一部が、突出されているか否かが判断される。
【０１２１】
このような構成によれば、分煙ボード６４０が途中状態または突出状態であり（Ｓ１６のＹｅｓ）、かつ収納信号が入力されたときに（Ｓ１４のＹｅｓ）、分煙ボード６４０を、途中状態または突出状態から、収納状態に変化させる（Ｓ１８）。また、分煙ボード６４０が収納状態であり（Ｓ２０のＹｅｓ）、かつ突出信号が入力されたときに（Ｓ１４のＮｏ）、分煙ボード６４０を、収納状態から、突出状態に変化させる（Ｓ２２）。
【０１２２】
（２）  本実施形態では、収納状態は、分煙ボードが完全に収納されている状態であるとし、突出状態は、分煙ボードが完全に突出されている状態であるとして説明した。たとえば、分煙ボードが突出している度合い（つまり、分煙ボードが露出されている表面積や体積）に応じて、収納状態および突出状態を分けるようにしてもよい。たとえば、収納状態は、分煙ボードが完全に収納している状態、および分煙ボードの突出度合いが半分未満である状態としてもよい。また、突出状態は、分煙ボードの突出度合いが半分以上である状態、および分煙ボードが完全に突出している状態としてもよい。
【０１２３】
このような構成によれば、突出信号が入力されたときにおいて（Ｓ１４のＮｏ）、分煙ボードが完全に収納している状態、および分煙ボードの突出度合いが半分未満である状態（収納状態）であるときに（Ｓ２０のＹｅｓ）、分煙ボード６４０を完全に突出させる突出状態へ制御する（Ｓ２２）。また、収納信号が入力されたときにおいて（Ｓ１４のＹｅｓ）、分煙ボードが完全に収納している状態、および分煙ボードの突出度合いが半分未満である状態（突出状態）であるときに（Ｓ１６のＹｅｓ）、分煙ボード６４０を完全に収納させる突出状態へ制御する（Ｓ１８）。
【０１２４】
このような構成によれば、分煙ボード６４０が途中まで突出していたとしても、適切に、分煙ボード６４０を制御させることができる。
【０１２５】
（３）  本実施形態の分煙ボードは、図４および図５に示すように、２枚のボード（第１分煙ボード６４４と、第２分煙ボード６４６）とで構成されるとして説明した。しかしながら、分煙ボードの形状は、煙を遮ることが可能な状態に変化可能なものであれば、如何なる形状であってもよい。たとえば、分煙ボードは１枚のボードで構成するようにしてもよい。これにより、分煙ボードの構成を簡素化でき、かつ、分煙ボードの厚みを薄くすることができる。また、分煙ボードは、３枚以上のボードで構成するようにしてもよい。なお、本実施形態で説明したような２枚のボードで構成された分煙ボードの方が、１枚の構成された分煙ボードよりも奥行き方向の長さを短くすることができる。また、分煙ボードの他の形状としてたとえば扇子形状のものやいわゆるアコーディオンカーテンの形状のものであってもよい。また、本実施形態では、分煙体は、ボード形状の分煙ボードであるとして説明したが、分煙体はボード形状に限られず、ボード形状よりも厚みが大きい他の形状であってもよい。
【０１２６】
以下では、煙を全く遮断しない状態を「非遮断状態」といい、非遮断状態よりも煙を遮断できる状態を「遮断状態」という。なお、本実施形態の突出状態は、遮断状態に相当し、収納状態は非遮断状態に相当する。たとえば、分煙ボードが扇子形状である場合には、遮断状態とは、該扇子形状である分煙ボードが開いた状態をいい、非遮断状態とは、該扇子形状である分煙ボードが閉じた状態である。また、分煙ボードがアコーディオンカーテンの形状である場合には、遮断状態とは、該アコーディオンカーテンの形状である分煙ボードが開いた状態をいい、非遮断状態とは、該アコーディオンカーテンの形状である分煙ボードが閉じた状態である。
【０１２７】
次に、分煙体の状態の変化（本実施形態では、突出状態から収納状態への変化、および収納状態から突出状態への変化）について説明する。「分煙体の状態の変化」とは、分煙体の全体積（全表面積）のうち、収納部から突出（露出）されている部分の体積（表面積）を変化させることである。本実施形態においては、収納状態よりも突出状態の方が、分煙体（分煙ボード６４０）の露出している部分の体積（表面積）が大きい。つまり、突出状態から収納状態へ変化させるということは、分煙体の露出している部分の体積（表面積）を小さくさせるということである。また、収納状態から突出状態へ変化させるということは、分煙体の露出している部分の体積（表面積）を大きくさせるということである。
【０１２８】
次に、分煙ボードが、扇子形状またはアコーディオンカーテンの形状である場合について説明する。この場合において、「遮断状態」および「非遮断状態」については、非遮断状態よりも遮断状態の方が、分煙ボードの露出している部分の体積（表面積）が大きい。つまり、遮断状態から非遮断状態へ変化させるということは、分煙ボードの露出している部分の体積（表面積）を小さくさせるということである。また、非遮断状態から遮断状態へ変化させるということは、分煙ボードの露出している部分の体積（表面積）を大きくさせるということである。
【０１２９】
また、「分煙体の状態の変化」とは、分煙体の全体積（全表面積）のうち、収納部６０２に隠蔽されている部分の体積（表面積）を変化させるということもできる。本実施形態においては、突出状態よりも収納状態の方が、分煙体（分煙ボード６４０）が隠蔽されている部分の体積（表面積）が大きい。つまり、突出状態から収納状態へ変化させるということは、分煙体が隠蔽されている部分の体積（表面積）を大きくさせるということである。また、収納状態から突出状態へ変化させるということは、分煙体が隠蔽されている部分の体積（表面積）を小さくさせるということである。
【０１３０】
次に、分煙ボードが、扇子形状またはアコーディオンカーテンの形状である場合について説明する。この場合において、「遮断状態」および「非遮断状態」については、遮断状態よりも非遮断状態の方が、分煙ボードが隠蔽されている部分の体積（表面積）が大きい。つまり、遮断状態から非遮断状態へ変化させるということは、分煙ボードの隠蔽している部分の体積（表面積）を大きくさせるということである。また、非遮断状態から遮断状態へ変化させるということは、分煙ボードが隠蔽されている部分の体積（表面積）を小さくさせるということである。
【０１３１】
（４）  本実施形態では、分煙ボード６４０は、ギアや駆動モータを含む分煙ボード駆動機構６１２により駆動されるとして説明した。しかしながら、分煙ボード６４０を駆動させる手段は、ギアや駆動モータなどに限られず他の部材を用いてもよい。たとえば、分煙ボード６４０は、磁力や電磁力などにより駆動させるようにしてもよい。たとえば、分煙ボード６４０を磁力により制御する構成としては以下のようにすればよい。分煙ボード６４０の側面のうち、収納部６０２の奥面と対向する側面に、磁石（以下、「分煙ボード磁石」という。）を取り付ける。ここで、分煙ボードに取り付けられる磁石の磁極をＮ極とする。また、収納部６０２の奥部にもＮ極およびＳ極を切替可能な磁石（以下、「収納部磁石」という。）が取り付けられる。ここで、収納部６０２の奥部とは、分煙ボードが収納されたときに分煙ボード磁石が近傍に位置する箇所である。分煙ボード６４０を収納状態に制御させるときには、収納部磁石をＳ極に切替える。そうすると、突出状態に制御されていた分煙ボード６４０が、両磁石の磁力により引き寄せられ収納部６０２に収納される。一方、分煙ボード６４０を突出状態に制御させるときには、収納部磁石をＮ極に切替える。そうすると、収納状態に制御されていた分煙ボード６４０は、両磁石の磁力により磁力により反発しあい、収納部６０２から突出され、突出状態になる。このように、分煙ボード６４０は、磁力を用いても、制御することができる。また、ソレノイドなどを用いて、分煙ボード６４０を制御するようにしてもよい。
【０１３２】
また、分煙ボード６４０は分煙ユニット６００から取り外し可能としてもよい。これにより、分煙ボード６４０のメンテナンス（清掃など）を容易に行うことができる。
【０１３３】
（５）  また、全ての分煙ユニットは、所定の収納条件が成立したときに、該全ての分煙ユニットそれぞれに含まれる分煙ボードを収納状態に制御するようにしてもよい。ここで、収納条件とは、たとえば、遊技店の閉店に関連する条件（以下、「閉店関連条件」という。）としてもよい。また、閉店関連条件とは、遊技店が閉店する時刻以降の特定時刻に到達したことにより成立する条件としてもよい。たとえば、遊技店が閉店する時刻が午後１０時であれば、特定時刻は午後１１時などとする。このような構成によれば、特定時刻に到達したときに、自動的に、全ての分煙ユニットは、該全ての分煙ユニットそれぞれに含まれる分煙ボードを一斉に収納状態に制御する。
【０１３４】
また、閉店関連条件とは、営業終了後に行われる営業終了時処理（たとえば、パチンコ遊技機２のＲＡＭに格納されているデータの初期化処理）が実行されることにより成立する条件としてもよい。このような構成によれば、営業終了時処理が終了することにより、自動的に、全ての分煙ユニットは、該全ての分煙ユニットそれぞれに含まれる分煙ボードを一斉に収納状態に制御する。したがって、店員などの煩雑さを軽減できる。
【０１３５】
（６）  ここでは、収納条件を、遊技店の閉店する時刻（午後１０時）に到達したことにより成立する条件とする。ところで、遊技店によっては、遊技店の閉店する時刻になっても、遊技者（有利状態に制御されている遊技機で遊技している遊技者）に遊技をやめさせず、遊技を継続させる遊技店がある。このような遊技店では、収納条件が成立したときに（閉店時刻に到達したときに）、分煙ユニットは、該分煙ユニットに対応する（隣接する）遊技機が稼働しているか否か（該遊技機で遊技されているか否か）を判断する。分煙ユニットが、該分煙ユニットに対応する遊技機が稼働していないと判断したときにおいて、分煙ボードが突出状態に制御されているときには、該分煙ボードを収納状態に制御する。分煙ユニットが、該分煙ユニットに対応する遊技機が稼働していると判断したときにおいて、分煙ボードが突出状態に制御されているときには、該分煙ボードの突出状態を維持する（収納状態に制御しない）。このような構成によれば、遊技機の稼働状態に応じて分煙ボードを制御できることから、閉店時刻になっても、遊技を継続している遊技者に不快感を感じさせることなく、分煙ボードを収納できる。
【０１３６】
（７）  本実施形態では、ボードスイッチ６１０は、図２に示す位置に設けられるとして説明した。しかし、分煙ボード６４０にボードスイッチ６１０を設けるようにしてもよい。このような構成によれば、本実施形態のボードスイッチよりも手前側にボードスイッチを配置できることから、ボードスイッチを操作しやすくでき、ボードスイッチの操作の利便性を向上させることができる。
【０１３７】
（８）  本実施形態では、収納信号と突出信号とが、パラメータ（たとえば、波形など）が異なる信号であるとして説明した。しかしながら、収納信号と突出信号とが同じ信号（以下、「駆動信号」という。）であってもよい。この場合には、分煙ユニットに駆動信号が入力されたときには、分煙ユニットの制御部が、分煙ボードが突出状態および収納状態のいずれの状態にあるかを判断し、突出状態に制御されていると判断したときには、収納状態に制御し、収納状態に制御されていると判断したときには、突出状態に制御する。
【０１３８】
（９）  また、図８の処理において、Ｓ１６とＳ２０の処理を実行しなくてもよい。具体的には、Ｓ１４の処理により、入力された制御信号が収納信号であると判断されたときに、制御部６０９は、分煙ボード６４０が収納状態になるように、分煙ボード駆動機構６１２を制御する。分煙ボード６４０が収納状態に既に制御されているときには、収納状態へ制御させるように分煙ボード駆動機構６１２を制御できない。したがって、制御部６０９が、収納状態へ制御させるように分煙ボード駆動機構を制御できないときには、分煙ボード６４０を制御しない。また、分煙ボード６４０が途中状態または突出状態に制御されているときには、収納状態へ制御させるように分煙ボード駆動機構６１２を制御できる。したがって、制御部６０９が、収納状態へ制御させるように分煙ボード駆動機構６１２を制御できるときには、分煙ボード６４０を収納状態へ制御する。
【０１３９】
また、Ｓ１４の処理により、入力された制御信号が突出信号であると判断されたときに、制御部６０９は、分煙ボード６４０が突出状態になるように、分煙ボード駆動機構６１２を制御する。分煙ボード６４０が突出状態に既に制御されているときには、突出状態へ制御させるように分煙ボード駆動機構６１２を制御できない。したがって、制御部６０９が、突出状態へ制御させるように分煙ボード駆動機構を制御できないときには、分煙ボード６４０を制御しない。また、分煙ボード６４０が途中状態または収納状態に制御されているときには、突出状態へ制御させるように分煙ボード駆動機構６１２を制御できる。したがって、制御部６０９が、突出状態へ制御させるように分煙ボード駆動機構６１２を制御できるときには、分煙ボード６４０を突出状態へ制御する。
【０１４０】
［障害物の検知について］
（１）  本実施形態では、Ｓ１２で示したように、通過空間に障害物があると検知された場合には、分煙ボード６４０を制御させないとして説明した。しかしながら、以下のようにしてもよい。制御部６０９は、分煙ボード６４０が障害物と接触したか否かを検知できるようにしてもよい。このような構成によれば、分煙ボード６４０が制御されている途中に、障害物と接触したときには、制御部６０９は、分煙ボード６４０の制御を停止させる。このような構成であれば、分煙ボード６４０の制御途中に障害物と接触したとしても、分煙ボード６４０の破損、分煙ユニット６００の故障や事故などを防ぐことができる。
【０１４１】
ここで、制御部６０９により検知の手法はたとえば、以下のようにすればよい。たとえば、いわゆる抵抗膜方式を用いて、分煙ボード６４０と障害物との接触を検知するようにしてもよい。たとえば、互いに対向する２枚の抵抗膜で分煙ボードを覆い、該２枚の抵抗膜のうち外側の抵抗膜に対して電圧をかける。そして、該外側の抵抗膜と障害物とが接触することにより、内側の抵抗膜に電圧が発生され、制御部６０９が該発生された電圧を検知できるようにする。このようにすることにより、分煙ボード６４０が障害物と接触したときには、制御部６０９は、該接触を検出することができる。
【０１４２】
また、制御部６０９は、分煙ボード６４０の制御方向（分煙ボード６４０に対して駆動力が加えられている方向）とは逆方向に、所定量の力が加えられたときに、該所定量の力が加えられたことを検出できるようにしてもよい。このようにすることにより、分煙ボード６４０が障害物と接触したときには、制御部６０９は、該接触を検出することができる。
【０１４３】
（２）  また、分煙ボード６４０の制御を開始したときには、通過空間には障害物が存在しないと判断されたが、分煙ボード６４０が収納状態から突出状態へ変化しているとき、または、分煙ボード６４０が突出状態から収納状態へ変化しているとき（つまり、分煙ボード６４０の制御（移動）途中に）、通過空間に障害物が存在するか否かを判断するようにしてもよい。分煙ボード６４０が制御されている途中に、通過空間に障害物が存在すると判断された（つまり、分煙ボード６４０の制御途中に、障害物が通過空間に入り込んできた）タイミングで、分煙ボード６４０の制御を終了させるようにしてもよい。具体的には、分煙ボード６４０が制御中であるか否かに関わらず、センサ６０６は、障害物が存在するか否かを検知し、分煙ボード６４０の制御途中に、センサ６０６が障害物を検知した場合には、該制御されていた分煙ボード６４０の制御を終了する。このような構成によれば、分煙ボード６４０の制御途中に、障害物が通過空間に入り込んできたとしても、分煙ボード６４０と該障害物との衝突を防止できる。
【０１４４】
また、分煙ボード６４０の制御（移動）途中において、センサ６０６により、障害物が検知されたときには、分煙ボード６４０が変化している状態とは異なる状態にさせるようにしてもよい。具体的には、分煙ボード６４０が、収納状態から突出状態へ変化している途中で、センサ６０６により障害物が検知されたときには、制御部６０９は、収納状態へ制御させる。また、分煙ボード６４０が、突出状態から収納状態へ変化している途中で、センサ６０６により障害物が検知されたときには、制御部６０９は、突出状態へ制御させる。
【０１４５】
（３）  また、本実施形態では、センサ６０６の検知範囲は、通過空間であるとして説明した。しかしながら、センサ６０６の検知範囲は、通過空間および該通過空間の周辺の空間（以下、「周辺空間」という。）としてもよい。以下に、該周辺の空間を検知範囲とする思想を説明する。たとえば、障害物である人間は動くことから、分煙ボード６４０の制御が開始されていないときにおいて、通過空間に障害物（人物）が存在しないときであっても、周辺空間に人物が存在する場合には、分煙ボード６４０の制御が開始されてから、分煙ボード６４０の制御が終了するまでに、該人物が通過空間に入り込んでくる可能性がある。このように、周辺空間に障害物が存在するか否かを検知することにより、将来的に通過空間に人物が入り込み、該人物と分煙ボード６４０が接触することを防止できる。
【０１４６】
［清掃手段について］
（１）  本実施形態では、清掃手段としてシート４０４を設け、分煙ボード６４０の制御途中に該シート４０４により分煙ボードの両面を清掃するとして説明した。しかしながら、清掃手段はこれに限られるものではなく、以下のような清掃手段を設けるようにしてもよい。
【０１４７】
該清掃手段は、分煙ボードの両面を積極的に清掃する手段としてもよい。積極的に清掃する手段として、たとえば分煙ボードの両面を清掃するワイパーを設けるようにしてもよい。また、分煙ボードの両面に清掃部材（たとえば、シート）を圧接させた清掃手段を設け、該清掃手段を駆動することにより該分煙ボードの両面を清掃するようにしてもよい。
【０１４８】
また、本変形例の清掃手段は、以下の清掃条件が成立することにより駆動するようにしてもよい。ここで清掃条件とは、たとえば、分煙ユニット６００が、リモコンや制御装置（他の装置でもよい）などから清掃信号を受信することにより成立する条件である。また、リモコンからの清掃信号は、リモコンの操作者が該リモコンから清掃信号を出力させる操作を行ったときに出力される信号である。また、制御装置からの清掃信号は、制御装置の操作者が該制御装置から清掃信号を出力させる操作を行ったときに出力される信号である。このように、分煙ユニット６００が清掃信号を受信して、制御部６０９が清掃手段を駆動することにより、分煙ボードの両面を清掃する。つまり、リモコンや制御装置などの操作者が、該操作者の所望のタイミングで分煙ボード６４０の両面を清掃することができる。
【０１４９】
また、清掃条件は、閉店関連条件としてもよい。このような構成によれば、閉店関連条件が成立したときに、自動的に、清掃手段は、全ての分煙ボードを清掃する。
【０１５０】
また、清掃条件は、遊技店の開店に関連する条件（以下、「開店関連条件」という。）としてもよい。ここで、開店関連条件とは、遊技店が開店する時刻以前の所定時刻に到達したことにより成立する条件としてもよい。たとえば、遊技店が開店する時刻が午前１０時であれば、所定時刻は午前９時などとする。このような構成によれば、所定時刻に到達したときに、自動的に、清掃手段は、全ての分煙ボードを清掃する。
【０１５１】
また、閉店関連条件とは、営業開始前に行われる営業開始時処理（たとえば、パチンコ遊技機２にＲＡＭに格納されているデータの初期化処理）が実行されることにより成立する条件としてもよい。このような構成によれば、営業開始時処理が終了することにより、自動的に、清掃手段は、全ての分煙ボードを清掃する。
【０１５２】
清掃条件はこれらの条件に限られず、他の条件としてもよい。
（２）  本実施形態では、図７に示すように、付勢手段４０６により、互いに中央方向に付勢されている２枚の薄板部材４０２Ａ、４０２Ｂに、清掃手段としてのシートが取り付けられ、付勢手段４０６の付勢力を利用して分煙ボード６４０の両面を清掃するとして説明した。しかしながら、付勢手段４０６および薄板部材４０２Ａ、４０２Ｂを設けない構成としてもよい。このような構成を採用した場合には、清掃手段を弾力性のある清掃部材（たとえば、弾力性のあるスポンジ）としてもよい。また、該清掃手段は、開口部６０２ｂ付近に設けるようにしてもよい。このような構成により、清掃手段の弾力性を利用して、それぞれ厚みの異なる第１分煙ボード６４４および第２分煙ボード６４６の両面を清掃することができる。また、２枚の薄板部材４０２Ａ、４０２Ｂ、および付勢手段４０６を設けなくてもよいことから、分煙ユニット６００の部品点数を削減できる。
【０１５３】
［制御装置１３０について］
（１）  本実施形態では、制御装置１３０からは、制御対象の分煙ユニット全てに対して、制御信号を送信するとして説明した。しかしながら、このような送信手法に限られず、以下のようにしてもよい。制御対象の分煙ユニットがＮ個（Ｎは２以上の整数）ある場合には、制御装置１３０は、該Ｎ個の分煙ユニットのうちの一の分煙ユニットに対して、該Ｎ個の分煙ユニットの分煙ボードを制御する旨の制御信号を送信する。該一の分煙ユニットは、該制御信号を受信すると、制御対象の他の分煙ユニット（Ｎ−１個の分煙ユニット）に対して、分煙ボードを制御する旨の制御信号を送信する。たとえば、制御対象の分煙ユニットが５０個ある場合について説明する。該５０個の分煙ユニットを分煙ユニットＢ１〜分煙ユニットＢ５０とする。この場合に、制御装置１３０は、分煙ユニットＢ１〜分煙ユニットＢ５０のうちの一の分煙ユニット（たとえば、分煙ユニットＢ１とする）に対して、制御信号を送信する。分煙ユニットＢ１は、該制御信号を受信すると、該分煙ユニットＢ１の分煙ボードを制御するとともに、他の分煙ユニットＢ２〜Ｂ５０に対して、制御信号を送信する。他の分煙ユニットＢ２〜Ｂ５０それぞれは、分煙ユニットＢ１からの制御信号を受信すると、自己の分煙ボードを制御する。このような構成によれば、制御装置１３０から分煙ユニットに対して制御信号を送信する送信負荷を軽減できる。
【０１５４】
（２）  本実施形態では、制御装置１３０から直接、各分煙ユニットに対して制御信号が送信されるとして説明した。しかしながら、制御装置１３０から他の装置に対して、制御信号を送信させる指示信号を送信することにより、該他の装置から制御信号を送信させるようにしてもよい。ここで、他の装置とは、たとえば、管理装置１５０、システムコントローラ１００、およびホールコンピュータ１４０などのうちの１つとしてよい。また、他の装置とは、管理装置１５０、システムコントローラ１００、およびホールコンピュータ１４０のいずれとも異なる装置としてもよい。
【０１５５】
（３）  本実施形態では、制御装置１３０が、それぞれの分煙ユニットを制御するとして説明した。しかしながら、他の装置が、該それぞれの分煙ユニットを制御するようにしてもよい。他の装置とは、たとえば、管理装置１５０、システムコントローラ１００、およびホールコンピュータ１４０などのうちの１つとしてよい。また、他の装置とは、管理装置１５０、システムコントローラ１００、およびホールコンピュータ１４０のいずれとも異なる装置としてもよい。
【０１５６】
（４）  本実施形態では、収納入力領域１３０２Ａおよび突出入力領域１３０２Ｃには遊技機ＩＤが入力されるとして説明した。しかしながら、以下のようにしてもよい。遊技島ごとに遊技島ＩＤを予め定めておく。さらに、遊技島ごとに、禁煙である遊技島（以下、「禁煙遊技島」という。）、または喫煙可である遊技機島（以下、「喫煙可遊技島」という。）を予め定めておく。収納入力領域１３０２Ａおよび突出入力領域１３０２Ｃは、遊技島ＩＤが入力可能とするようにしてもよい。たとえば、突出入力領域１３０２Ｃに、喫煙可遊技機島の遊技島ＩＤが入力されると、該遊技島ＩＤから特定される遊技機に対応する分煙ユニットに対して突出信号が送信される。これにより、喫煙可遊技機島の全ての遊技機の両側の分煙ボードが突出状態に制御される。また、収納入力領域１３０２Ａに、禁煙遊技機島の遊技島ＩＤが入力されると、該遊技島ＩＤから特定される遊技機に対応する分煙ユニットに対して収納信号が送信される。これにより、禁煙遊技機島の全ての遊技機の両側の分煙ボードが収納状態に制御される。
【０１５７】
［リモコン７００について］
（１）  本実施形態では、分煙ユニット６００の制御部６０９は、リモコン制御信号を解析することにより、該リモコン制御信号に含まれている、「突出入力領域７０６Ａに入力された遊技機ＩＤ」を特定し、制御部６０９は、「該特定された遊技機ＩＤ」、および「該遊技機ＩＤから特定される遊技機の両側の分煙ボードを制御する旨」の制御信号を制御装置１３０に対して送信する、として説明した。つまり、本実施形態では、制御部６０９は、一旦、制御装置１３０に対して「該特定された遊技機ＩＤ」、および「該遊技機ＩＤから特定される遊技機の両側の分煙ボードを制御する旨」の制御信号を送信して、制御装置１３０が、「該入力された遊技機ＩＤから特定される遊技機の分煙ユニット」、および「該遊技機の右隣の遊技機の分煙ユニット」の双方に対して、制御信号を送信するとして説明した。
【０１５８】
しかしながら、「該特定された遊技機ＩＤ」、および「該遊技機ＩＤから特定される遊技機の両側の分煙ボードを制御する旨」の制御信号を制御装置１３０に対して送信しないようにしてもよい。この場合には、制御部６０９は、「該入力された遊技機ＩＤから特定される遊技機の分煙ユニット」、および「該遊技機の右隣の遊技機の分煙ユニット」の双方に対して、制御信号を送信するようにしてもよい。
【０１５９】
このような構成によれば、分煙ユニット６００は、制御装置１３０に対して、「該特定された遊技機ＩＤ」、および「該遊技機ＩＤから特定される遊技機の両側の分煙ボードを制御する旨」の制御信号を送信する必要がないので、制御装置１３０の処理負担を軽減できる。
【０１６０】
（２）  また、リモコン７００は、いわゆるワゴンサービスを実行するためのリモコンと同一であるものとしてもよく、異なるものとしてもよい。このようにすることで、店員がワゴンサービスを実施できると共に、分煙ユニットを制御できる。
【０１６１】
［分煙手段について］
（１）  本実施形態では、煙草の煙を分煙する分煙手段は、分煙ボードであるとして説明した。しかしながら、分煙手段は、煙草の煙の流動を遮るものであれば他の手段であってもよい。たとえば、煙草の煙を吸引する手段（たとえば、吸煙機など）や、風圧を発生させることにより煙草の煙を遮る手段（たとえば、ファンやエアカーテンなど）であってもよい。この場合に、分煙ユニットに、稼働信号が入力されると、分煙手段が稼働し、停止信号が入力されると、分煙手段の稼働は停止する。また、稼働信号、および停止信号は、制御装置１３０、リモコン７００、他の装置などから入力されるものである。このような構成であっても、分煙手段の稼働の手間を軽減できる。
【０１６２】
（２）  また、分煙ユニットは、所定濃度以上の煙草の煙を検知できる煙検知手段を備えるようにしてもよい。この場合には、該煙検知手段が煙草の煙を検知すると、該分煙ユニットに対応する遊技機の両隣の分煙ボードが自動的に突出状態に制御されるようにしてもよい。また、該煙検知手段が煙草の煙を検知しなくなり所定時間（たとえば１時間）経過後に、突出状態である分煙ボードを収納状態に制御するようにしてもよい。
【０１６３】
［分煙ユニットの仕様用途］
本実施形態では、隣接する遊技機の間に分煙ユニットを設けるとして説明した。しかしながら、これに限らず、分煙ユニットは、隣接するその他の遊技機の間に設けられるようにしてもよい。ここで、その他の遊技機とは、スロットマシンやパロットなどである。
【０１６４】
また、分煙ユニットは、遊技場に限らず、他の施設に設けるようにしてもよい。たとえば、複数の座席が列状に配置された施設（たとえば、野球場、競馬場、劇場、喫茶店、待合室、バス、電車、飛行機など）において、隣接する座席の間に分煙ユニットを設けるようにしてもよい。このような構成によれば、喫煙者が煙草を吸ったとしても、該喫煙者の両隣に分煙ボードを突出させることで、隣の座席に座っている人間に煙草の煙が流動することを極力防止できる。
【０１６５】
また、本実施形態では、分煙ユニットは、煙草の煙が隣の遊技者に流動しないように分煙ボードを制御する分煙装置であるとして説明した。しかしながら、流動を規制する対象は、煙草の煙に限られず他の物質としてもよい。該他の物質とは、たとえば、匂いの元となる物質や、熱い空気や冷たい空気などである。このように、本実施形態の分煙装置は、隣の遊技者への他の物質の流動を遮断する遮断装置などとしてもよい。このような遮断装置によれば、匂い、熱気、冷気などが隣の遊技者に流動しないようにすることができる。
【０１６６】
［その他］
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６７】
２  パチンコ遊技機、３  カードユニット、１００  システムコントローラ、１５０  管理装置、１７０  ＰＯＳ端末。
【図１】
0006660085.tif 000002
【図２】
0006660085.tif 000003
【図３】
0006660085.tif 000004
【図４】
0006660085.tif 000005
【図５】
0006660085.tif 000006
【図６】
0006660085.tif 000007
【図７】
0006660085.tif 000008
【図８】
0006660085.tif 000009
【図９】
0006660085.tif 000010
【図１０】
0006660085.tif 000011